(57)【特許請求の範囲】
【請求項１】
挿入口から挿入される電子部品を収容する収容部を構成するハウジングと、
前記ハウジングに設けられ、前記電子部品の装着状態を検出する検出スイッチと、
を有し、
前記検出スイッチは、
挿入される前記電子部品により押圧されて変位する接触部と前記接触部の変位に伴い前記接触部の変位方向と同方向に変位する可動接点部とを有する可動端子と、
前記ハウジングに、前記可動接点部の変位方向と交差する方向に突出して配置され、前記可動接点部が変位して摺動する固定端子と、
を備え、
前記可動端子は、前記電子部品の挿入方向に沿って延在し、且つ、撓み変形して前記挿入口側の基端部を中心に揺動するように前記ハウジングに設けられ、
前記可動接点部は、変位した際に前記固定端子に当接して摺動する面取りされた角部を有し、且つ、前記可動端子において、前記接触部よりも前記ハウジングの奥側に形成されている、
コネクタ。
【請求項２】
前記ハウジング内には、前記接触部と前記可動接点部との間に、前記可動接点部の前記固定端子との接点領域を、前記接触部の前記電子部品との接触領域から隔離する隔壁部が設けられている、
請求項１記載のコネクタ。
【請求項３】
前記可動端子は、
挿入方向に沿って配置され、撓みにより変形して揺動する可動アーム部と、
前記可動アーム部から前記収容部外方に分岐して形成され、先端部が前記可動アーム部の先端部よりも前記ハウジングの奥側に位置する接点アーム部と、
を備え、
前記接触部は、前記可動アーム部の挿入方向側の端部から前記収容部内に突出して設けられ、前記電子部品の押圧により前記収容部から後退する方向に変位して前記可動アーム部を揺動させ、
前記可動接点部は、前記接点アーム部の先端部に形成され、前記可動アーム部の揺動に伴う前記接点アーム部の揺動によって前記固定端子に当接して摺動する、
請求項１記載のコネクタ。
【請求項４】
挿入口を介して電子部品が挿入されるコネクタのハウジングに設けられ、挿入される前記電子部品を検出する検出スイッチにおいて、
挿入される前記電子部品により押圧されて変位する接触部と前記接触部の変位に伴い前記接触部の変位方向と同方向に変位する可動接点部とを有する可動端子と、
前記ハウジングに、前記可動接点部の変位方向と交差する方向に突出して配置され、変位する前記可動接点部が摺動する固定端子と、
を有し、
前記可動端子は、前記電子部品の挿入方向に沿って延在し、且つ、撓み変形して前記挿入口側の基端部を中心に揺動するように前記ハウジングに設けられ、
前記可動接点部は、変位した際に前記固定端子に当接して摺動する面取りされた角部を有し、且つ、前記可動端子において、前記接触部よりも前記ハウジングの奥側に形成されている、
検出スイッチ。
【発明の詳細な説明】
【技術分野】
【０００１】
本発明は、挿入されるメモリカード等の電子部品を検出する検出スイッチを有するコネクタ及び検出スイッチに関する。
【背景技術】
【０００２】
従来からデジタルカメラなどのデータの記憶媒体として、樹脂製の薄板状の筐体を有するメモリカードが広く用いられており、種々の種類や規格の小型のメモリカードが知られている。最近では、携帯電話用のデータの記憶媒体としてもメモリカードが用いられており、非常に小型のメモリカードも市販されている。
【０００３】
これらのメモリカードを記憶媒体とするデジタルカメラや携帯電話などの電子機器には、メモリカード用のコネクタ（コネクタ）が設けられ、メモリカードは、メモリカードコネクタに挿入することで電子機器に装着される。
【０００４】
このようなメモリカードコネクタには、例えば、特許文献１に示すように、コネクタ本体に挿入されるメモリカードが接点部分を接離させることにより、メモリカード自体の状態を電気的に検出する検出スイッチが設けられている。検出スイッチとしては、カード挿入を検出するカード検出スイッチがある。
【０００５】
図１１は、従来のメモリカードコネクタにメモリカードが挿入されたことを検出するカード検出スイッチの従来構成を示す図である。
【０００６】
図１１に示す従来のカード検出スイッチ１は、コネクタ本体３において、装着されるメモリカード２の挿入方向に沿って延在する一方の案内側壁４側に設けられている。
【０００７】
カード検出スイッチ１は、コネクタ本体３の案内側壁４に沿って配置された第２接点部材５と、第２接点部材５に対して幅方向に並べて離間して配置された第１接点部材６とから構成されている。
【０００８】
第１接点部材６は、コネクタ本体３の幅方向で第２接点部材５に対向し、案内側壁４側から挿入経路内に突出する折曲部７を有する。
【０００９】
メモリカード２が装着位置に在るときは、第１接点部材６の折曲部７がメモリカード２の側面によって押され、これにより折曲部７の基端が第２接点部材５に当接し、第１接点部材６と第２接点部材５は電気的に導通状態（クローズ）となる。
【００１０】
このように従来のメモリカードコネクタでは、挿入方向に沿う一方の案内側壁４側において、初期状態では、第２接点部材５と第１接点部材６は電気的に遮断状態（オープン）である。これに対して、メモリカードが挿入されると、第１接点部材６が側方に撓むことで第２接点部材５に接触し、第２接点部材５と第１接点部材６は電気的に導通状態となる。また、メモリカード２をコネクタ本体３から抜去すると、第１接点部材６の折曲部７は復帰して第１接点部材６と第２接点部材５は電気的に遮断状態となる。このようにして、メモリカードの挿入を検出している。なお、これら第１接点部材６と第２接点部材５の終端は、コネクタ本体３が実装される図示しないプリント基板のカード検出回路に接続されている。
【００１１】
この従来のメモリカードコネクタにおいて、第２接点部材５が可撓性を有する材料で形成されている場合、第１接点部材６の折曲部７によって、メモリカード２の側方、つまり、当該メモリカード２から離間する方向に撓むことになる。これにより第１接点部材６及び第２接点部材５の接点同士はワイピング（摺動）して接触させることができ、樹脂製のカード側面と第１接点部材６との接触によって発生するカードの削りカスが接点同士に介在することによって生じる接触不良を防止できる。
【００１２】
カードの挿入によって接触する接点部材同士が摺動する、所謂ワイピングの機能を有する構成として特許文献２に開示された検出スイッチが知られている。
【００１３】
特許文献２の検出スイッチでは、第１接点部材は、カードの挿入方向に沿って揺動自在に配置され、前端部がカードの面方向で屈曲ないし湾曲成形されており、その縁に第１接点が形成されている。また、第２接点部材は、後端部をカードの厚さ方向で屈曲ないし湾曲成形されており、その縁に、第１接点と対向する第２接点を有する。特許文献２では、カード挿入によって第１接点部材は撓み、第１接点がカードの側方に変位して、第２接点を押圧して、第２接点は、カードの厚さ方向に変位する。このように特許文献２ではカー挿入によって第１接点と第２接点とは互いに摺動（ワイピング）しながら接触する。
【先行技術文献】
【特許文献】
【００１４】
【特許文献１】特開２００３−２２８７０号公報
【特許文献２】特開２００２−３２４６２９号公報
【発明の概要】
【発明が解決しようとする課題】
【００１５】
ところで、近年、メモリカードが搭載される電子機器の小型化が図られ、これに伴って電子機器にメモリカードを搭載するためのメモリカードコネクタ自体の小型化、実装スペースの省スペース化が望まれている。
【００１６】
従来の特許文献１及び特許文献２のメモリカードコネクタは、メモリカードの挿入によってカードの側方に可動する第１接点部材の可動領域と、第１接点部材に接触してカードの側方又はカードの厚み方向に撓む第２接点部材の可動領域と有する。
【００１７】
このため、コネクタ本体において、挿入されるメモリカードの側方で、第１接点部材の可動及び第２接点部材が撓むためのスペースの双方を確保する必要があり、コネクタ自体の外形を大きくしてしまい、コネクタの小型化が困難であるという問題がある。
【００１８】
本発明はかかる点に鑑みてなされたものであり、挿抜されるメモリカード等の電子部品の装着状態を好適に検出することができ、且つ、実装スペースの省スペース化を実現するコネクタ及び検出スイッチを提供することを目的とする。
【課題を解決するための手段】
【００１９】
本発明のコネクタは、挿入口から挿入される電子部品を収容する収容部を構成するハウジングと、前記ハウジングに設けられ、前記電子部品の装着状態を検出する検出スイッチと、を有し、前記検出スイッチは、挿入される前記電子部品により押圧されて変位する接触部と前記接触部の変位に伴い前記接触部の変位方向と同方向に変位する可動接点部とを有する可動端子と、前記ハウジングに、前記可動接点部の変位方向と交差する方向に突出して配置され、前記可動接点部が変位して摺動する固定端子とを備え、前記可動端子は、前記電子部品の挿入方向に沿って延在し、且つ、撓み変形して前記挿入口側の基端部を中心に揺動するように前記ハウジングに設けられ、前記可動接点部は、変位した際に前記固定端子に当接して摺動する面取りされた角部を有し、且つ、前記可動端子において、前記接触部よりも前記ハウジングの奥側に形成されている構成を採る。
【００２０】
本発明の検出スイッチは、挿入口を介して電子部品が挿入されるコネクタのハウジングに設けられ、挿入される前記電子部品を検出する検出スイッチにおいて、挿入される前記電子部品により押圧されて変位する接触部と前記接触部の変位に伴い前記接触部の変位方向と同方向に変位する可動接点部とを有する可動端子と、前記ハウジングに、前記可動接点部の変位方向と交差する方向に突出して配置され、変位する前記可動接点部が摺動する固定端子とを有し、前記可動端子は、前記電子部品の挿入方向に沿って延在し、且つ、撓み変形して前記挿入口側の基端部を中心に揺動するように前記ハウジングに設けられ、前記可動接点部は、変位した際に前記固定端子に当接して摺動する面取りされた角部を有し、且つ、前記可動端子において、前記接触部よりも前記ハウジングの奥側に形成されている構成を採る。
【発明の効果】
【００２１】
本発明によれば、挿抜されるメモリカード等の電子部品の装着状態を好適に検出することができ、且つ、実装スペースの省スペース化を実現できる。
【図面の簡単な説明】
【００２２】
【図１】本発明の一実施の形態に係るコネクタと当該コネクタに装着されるメモリカードとを示す斜視図
【図２】同コネクタにおいて検出スイッチを備えるハウジングの斜視図
【図３】同コネクタのハウジングの平面図
【図４】同コネクタのハウジングの正面図
【図５】同コネクタに装着されるメモリカードを示す平面図
【図６】ハウジングの切欠部を示す図３のＡ−Ａ線矢視端面図
【図７】固定端子と可動端子の接点部との位置関係を示す図
【図８】コネクタにおけるカード検出スイッチの動作の説明に供する図
【図９】コネクタにおけるカード検出スイッチの動作の説明に供する図
【図１０】コネクタにおけるカード検出スイッチの動作の説明に供する図
【図１１】従来のメモリカードコネクタにおけるメモリカード挿入を検出するカード検出スイッチの構成を示す図
【発明を実施するための形態】
【００２３】
以下、本発明の実施の形態について、図面を参照して詳細に説明する。本実施の形態では、コネクタを、挿入される電子部品をメモリカードとしたカードコネクタとして説明するが、これに限らない。コネクタは、挿入される電子部品の装着状態を検出する機能を有する構成であれば、どのような電子部品に対して用いられるコネクタとしてもよい。
【００２４】
図１は、本発明の一実施の形態に係るコネクタと当該コネクタに装着されるメモリカードとを示す斜視図、図２は同コネクタにおいて検出スイッチを備えるハウジングの斜視図である。図３は、同コネクタのハウジングの平面図であり、図４は同コネクタのハウジングの正面図である。なお、本実施の形態では、メモリカードが挿入される挿入口１０１を前とし、この前を基準にコネクタの後、左、右を規定する。
【００２５】
図１に示すカードコネクタ１００は、ハウジング１１０（図２参照）にシールドカバー１８０を被せることによって、一側面部分に形成された挿入口１０１から挿入されるメモリカード２０を収容する矩形板状をなす。カードコネクタ１００は、図２及び図３に示すように、内部に検出スイッチ１６０Ａ、１６０Ｂを備える。
【００２６】
ハウジング１１０は、図２に示すように合成樹脂等の絶縁材により前面と上面とを開口した箱状に形成され、肉薄の底板部１２０、両側壁部１３０、１４０及び後端側壁部１５０を備える。このハウジング１１０に、下方に開口する断面コ字状のシールドカバー１８０（図１参照）を上方から被せることによって、挿入されるメモリカード２０を収容する収容部１０２が形成されている。
【００２７】
なお、このカードコネクタ１００は、挿入されるメモリカード２０の形状に対応して形成されている。カードコネクタ１００に装着されるメモリカード２０は、一般的に、データの消去・書き込みを自由に行なうことができ、電源を切っても内容が消えないフラッシュメモリ（Flash Memory）を備えるものである。ここでメモリカード２０ついて説明する。
【００２８】
図５は本発明の一実施の形態に係るコネクタに装着されるメモリカードを示す平面図である。
【００２９】
図５に示すように、メモリカード２０は、内部にＩＣ（図示しない）を収容した樹脂製の薄板状をなし、一方の面（裏面）の先端部には、ハウジング１１０の複数のコンタクトピン１７０とそれぞれ接続する電極（パット）２１が幅方向に複数並べて配設されている。また、メモリカード２０の両側部２２、２３には長手方向に沿って一方の面（裏面）側と側方（幅方向）に開口する溝が形成されている。
【００３０】
平面視矩形板状のメモリカード２０には、先端部２０ａの他側部（表面２０ｂ側から見たメモリカード２０において、カードコネクタ１００に対する挿入方向を先端側とした右側部）２２側の角部を切り欠いてなる切欠部２４が形成されている。この切欠部２４によりメモリカード２０の先端部２０ａは、先端に向かって基端部側よりも幅が狭くなっている。
【００３１】
また、メモリカード２０の一側部（挿入方向側を先端側とした左側部）２３には、カード書き込み禁止を示す識別部として機能する凹部２５が形成されている。この凹部２５に隣接して識別片２６が配置され、識別片２６は、メモリカード２０の他側部２３の延在方向に沿って凹部２５側にスライド移動する。この識別片２６をスライド移動させることによって凹部２５は閉塞され、凹部２５内における識別片２６の位置に応じてカード２０への書き込みの可否は変更される。
【００３２】
メモリカード２０は、自由にデータの読み書きが行えるものであるが、複写が自由にできないものであってもよい。このメモリカード２０は、ＳＤカード（Secure Digital memory card）としているが、これに限らず、ＰＣカード，コンパクトフラッシュ（登録商標）カード，スマートメディア、メモリースティック等としてもよい。
【００３３】
メモリカード２０が装着されるハウジング１１０には、図２及び図３に示すように、底板部１２０の後端側に、幅方向に並べて複数のコンタクトピン１７０が設けられている。これらコンタクトピン１７０は、それぞれ可撓性を有し、底板部１２０から上方に突出して設けられている。コンタクトピン１７０の突出する接点部１７１は、収容部１０２内において、メモリカード２０のパット（図参照）に対応する位置に配置され、それぞれ下方に移動自在な接点部１７１である。これら接点部１７１は、収容部１０２に収容されるメモリカード２０の電極２１（図５参照）に押圧されることで、電極２１と対応する組同士で接触して、それぞれ電気的に接続される。
【００３４】
なお、ハウジング１１０に取り付けられるコンタクトピン１７０は、ハウジング１１０に取り付けられる他の導電性部品とともに、インサート成形によってハウジング１１０に組み付けられる。
【００３５】
ハウジング１１０において底板部１２０の両辺から立ち上がる両側壁部１３０、１４０は、カード挿入口１０１からコネクタ１００内に挿入されるメモリカード２０を後端側壁部１５０側に案内する。
【００３６】
具体的には、右側壁部１３０及び左側壁部１４０には、それぞれ内壁面の下辺部から収容部１０２側に突出するガイドレール１３３、１４３が設けられている。これらガイドレール１３３、１４３は、ハウジング１１０の内側で、両側壁部１３０、１４０の下辺部に沿って延在し、それぞれの上面で、挿入口１０１から挿入されるメモリカード２０の両側部２３、２２を収容部１０２内へ好適に案内する。これにより、メモリカード２０が収容部１０２に収容された際に、ガイドレール１３３、１４３のそれぞれの上面上には、メモリカード２０の両側部２２、２３が配置される。ここでは、ガイドレール１３３、１４３は、メモリカード２０の両側部２２、２３（図５参照）に形成された溝部に沿って摺動する。
【００３７】
ハウジング１１０における両側壁部１３０、１４０のうち一方の側壁部、ここでは右側の側壁部１３０には、隔壁部１９０によって、収容部１０２に対して仕切られた切欠部１３４、１３５が形成されている（図３参照）。
【００３８】
切欠部１３４、１３５は、図３に示すように、側壁部１３０内に、隔壁部１９０を挟み収容部１０２に沿って形成され、それぞれ挿入口１０１側で収容部１０２と連通している。切欠部１３４、１３５の収容部１０２との連通部分は、当該連通部分に隣接する部分を含むガイドレール１３３の一部及び底板部１２０の一部を挿入口１０１側に切り欠くとともに挿入方向側に隔壁部１９０に沿って底板部１２０を切り欠いてなる開口部１２４、１２６と連通している。切欠部１３４、１３５は、開口部１２４、１２６とともに、ハウジング１１０に検出スイッチ配設領域を形成している。
【００３９】
これら検出スイッチ配置領域に、カード検出スイッチ１６０Ａ及びカード書込要否検出スイッチ（「書込可否検出スイッチ」ともいう）１６０Ｂが右側壁部１３０の延在方向、つまり挿入方向に沿って配置されている。
【００４０】
図６は、ハウジングの切欠部１３４、１３５を示す図３のＡ−Ａ線矢視端面図である。
【００４１】
図２，図３及び図６に示す切欠部１３４、１３５内に、当該右側壁部１３０に沿ってカード検出スイッチ１６０Ａ及びカード書込可否検出スイッチ１６０Ｂの可動接点部１６４ａが配置されている。
【００４２】
図２、図３及び図６に示す検出スイッチ１６０Ａ、１６０Ｂは、収容部１０２に挿入されるメモリカード２０を電気的に検出する。具体的には、カード検出スイッチ１６０Ａは、収容部１０２に挿入されるメモリカード２０（図５参照）自体を検出し、書込可否検出スイッチ１６０Ｂは、挿入して装着されるメモリカード２０の識別片２６（図５参照）の位置を検出する。
【００４３】
カード検出スイッチ１６０Ａ及び書込可否検出スイッチ１６０Ｂは、略同様の構成、機能を有し、略同様に取り付けられているため、カード検出スイッチ１６０Ａの構成のみ説明し、書込可否検出スイッチ１６０Ｂは省略する。
【００４４】
カード検出スイッチ１６０Ａは、図３及び図６に示すように、収容部１０２内で揺動自在に配置され、挿入されるメモリカード２０に押圧されて可動する可動端子１６１と、ハウジング１１０側に固定された固定端子１６２とを備える。
【００４５】
可動端子１６１及び固定端子１６２はそれぞれ金属板を加工してなる。
【００４６】
可動端子１６１は、図２及び図３に示すように、挿入されるメモリカード２０に接触するカード接触部１６３ａと、カード接触部１６３ａへの接触により固定端子１６２に接離する可動接点部１６４ａとを有する。
【００４７】
可動端子１６１は、可撓性を有する長尺の導電性部材（ここでは金属板）からなり、ガイドレール１３３の一部（第１ガイドレール１３３ａ）からオーバーハングした状態で設けられ、弾性変形して先端部側は、検出スイッチ配置領域内において揺動自在となっている。なお、書込可否検出スイッチ１６０Ｂでは、可動端子１６１は、第２ガイドレール１３３ｂ（図２及び図３参照）から突出して設けられている。
【００４８】
具体的に、可動端子１６１は、第１ガイドレール１３３ａの奥側端面から挿入方向に沿って、第１ガイドレール１３３ａの延長線上に延在して設けられ、先端部を、カード挿入領域に連通する収容部１０２内に配置させた可動アーム部１６３を有する（図２及び図３参照）。
【００４９】
図２、図３及び図４に示すように、収容部１０２に配置される可動アーム部１６３の先端部が、収容部１０２に挿入されるメモリカード２０に接触するカード接触部１６３ａとなっている。
【００５０】
カード接触部１６３ａは、第１ガイドレール１３３ａに沿って配置され、先端部を収容部１０２側に折曲することより形成されてなり、挿入方向に沿って上方に傾斜する傾斜面を有する。この傾斜面で、収容部１０２内に挿入されるメモリカード２０に接触し、メモリカード２０に挿入方向に押圧されることによってカード接触部１６３ａは、収容部１０２から底板部１２０側に移動する。
【００５１】
このように可動アーム部１６３は、ハウジング１１０に対して、挿入口１０１側から挿入方向に沿って延在し、基端部側を中心に揺動して、収容部１０２に位置する先端部のカード接触部１６３ａを収容部１０２内から離間する方向に変位自在に設けている。
【００５２】
また、可動アーム部１６３には、先端部に可動接点部１６４ａが形成され、且つ、可動アーム部１６３の延在方向に沿って延在する接点アーム部１６４が連結されている。
【００５３】
接点アーム部１６４は、図２、図３及び図６に示すように、右側壁部１３０内に、収容部１０２に沿って形成された切欠部１３４内に配置され、可動アーム部１６３とともに揺動自在となっている。
【００５４】
接点アーム部１６４は、可動アーム部１６３の延在方向と交差する方向、ここでは、右側壁部１３０側に延びる連結片部１６４ｂを介して、可動アーム部１６３に沿って延在する接点アーム部本体１６４ｃを有する。この接点アーム部本体１６４ｃの先端部に可動接点部１６４ａが形成されている。
【００５５】
連結片部１６４ｂは、開口部１２４と切欠部１３４とを連通させる連通口内に配置されている。なお、この連通口は、挿入方向側の両側で、右側壁部１３０と、切欠部１３４及び収容部１０２を仕切る隔壁部１９０とにより仕切られている。
【００５６】
接点アーム部本体１６４ｃは、図６に示すように連結片部１６４ｂの先端部から、メモリカード２０の挿入方向、つまり、ハウジング１１０の後方に向かって延在しており、ここでは、可動アーム部１６３と平行に配置されている。
【００５７】
接点アーム部１６４（具体的には接点アーム部本体１６４ｃ）は、ここでは、平面視して、可動アーム部１６３よりも長尺に形成され、先端の可動接点部１６４ａが、可動アーム部１６３の先端のカード接触部１６３ａよりも後方に位置している（図３参照）。
【００５８】
本実施の形態の可動端子１６１では、接点アーム部１６４を、平面視して、可動接点部１６４ａの位置が、カード接触部１６３ａから、可動アーム部１６３の基端部からカード接触部１６３ａまでの長さに相当する長さ分、後方に位置するように形成されている。
【００５９】
このように、可動アーム部１６３では、揺動中心となる基端部から可動接点部１６４ａまでのスパンが、基端部からカード接触部１６３ａまでのスパンよりも長くなるように形成されている。これにより、可動アーム部１６３では、基端部を中心に一定範囲可動した際に、可動アーム部１６３における先端側のカード接触部１６３ａの変位量よりも接点アーム部１６４における先端部である可動接点部１６４ａの変位量が大きくなっている。
【００６０】
可動端子１６１では、一枚の金属板を加工することによって可動アーム部１６３、接点アーム部１６４、可動接点部１６４ａ、連結片部１６４ｂが形成されている。すなわち、可動端子１６１は、金属板を加工して帯状部分の中央部分から一側方に分岐する分岐帯状部を備えた帯状加工体を形成し、この帯状加工体において、帯状部分を可動アーム部１６３とし、分岐後の部分であって、水平方向に分岐する分岐帯状部を板状の連結片部１６４ｂとし、水平方向に突出する連結片部１６４ｂの先端部を折曲して立ち上げることによって接点アーム部１６４の基端部を形成し、この基端部から、可動アーム部１６３の長手方向に沿って延在する棒状部材を接点アーム部１６４の本体とする。この接点アーム部１６４は、可動アーム部１６３と並行に延在し、可動アーム部１６３よりもコネクタの奥側に長く、棒状部材の先端部分を可動接点部１６４ａとして形成する。
【００６１】
なお、可動アーム部１６３と連結片部１６４ｂとの接合部分は、リブ１６１ｃにより補強されている。
【００６２】
このように構成された可動端子１６１において、切欠部１３４内に配置される可動接点部１６４ａの軌道上には固定端子１６２が配置されている。
【００６３】
図７は、固定端子と可動端子の接点部との位置関係を示す図であり、両者の接点部分をコネクタの奥側から見た要部断面図である。
【００６４】
図７に示すように固定端子１６２は絞り形状をなし、後端側壁部１５０と右側壁部１３０との角部分を切り欠いてなる切欠部１３４の領域内に、切欠部１３４の側面から可動端子１６１の可動接点部１６４ａの移動領域と交差するように突出して設けられている。
【００６５】
ここでは、固定端子１６２において切欠部１３４の側面（具体的には切欠部１３４を左側で仕切る後端側壁部１５０の部分）からの突出方向は、可動接点部１６４ａの移動方向に沿って下るように傾斜する方向である。これにより、可動接点部１６４ａは可動して、固定端子１６２に当接し、当該固定端子１６２を傾斜方向に摺動しつつ接触状態で固定される。
【００６６】
ここでは、固定端子１６２は、切欠部１３４の側方の鉛直壁面に対して４５度以上の傾きで突出して形成されている。固定端子１６２は、後端側壁部１５０に、水平面に対して４０度以上９０度未満の角度で設けられており、ここでは、固定端子１６２は後側壁部において切欠部１３４を左側で仕切る壁面部分に、挿入方向に沿って延在する鉛直面に対して略４５度で傾斜するように設けられている。
【００６７】
固定端子１６２は、常態時では、切欠部１３４内において、可動接点部１６４ａの下方に配置される。固定端子１６２の上面（詳細には、可動接点部１６４ａとの対向面）には、上端が湾曲し且つ、傾斜方向に延在する突部が形成されている。この突部が、可動接点部１６４ａにおいて面取りされた湾曲する角部１６４ｆ（図８参照）と接触する。
【００６８】
固定端子１６２は、カード非装着時には、可動端子１６１と接触していない。つまり、カード検出スイッチ１６０Ａは、カード非装着時にはオフ（電気的に遮断状態）であるノーマルオープンスイッチとしている。
【００６９】
このようにハウジング１１０において、可動端子１６１の可動接点部１６４ａと固定端子１６２とが接触する領域であるスイッチ接点部分（接点領域に相当）と、可動端子１６１のカード接触部１６３ａと挿入されるメモリカード２０とが接触する領域であるカード接触部分（接触領域に相当）とは、スイッチ接点部分とカード接触部分とを結ぶ直線上に配置された隔壁部１９０によって仕切られている。言い換えれば、隔壁部１９０は、カード接触部１６３ａにおいて接触相手（メモリカード２０）に接触する部分と、可動接点部１６４ａと固定端子１６２との接点部分と、を結ぶ略直線上に、略直線と交差して設けられている。
【００７０】
隔壁部１９０は右側壁部１３０の一部であり、連通口を挿入方向側で仕切る端部には、挿入口側につれて、収容部１０２から離間する幅方向に傾斜する傾斜面１９２を備える（図２参照）。
【００７１】
すなわち、隔壁部１９０は、当該隔壁部１９０とハウジング１１０の幅方向で隣り合う収容部１０２を、ハウジング１１０の後方、つまり挿入方向に向かって狭くなるように画成している。この傾斜面１９２によって挿入されるメモリカード２０を好適に収容部１０２内に案内させることができる。なお、隔壁部１９０は、ハウジング１１０と一体的に形成され、ハウジング１１０にインサート成形で設けられる導電性を有する金属材（ここでは金属板）により補強されている。詳細には、隔壁部１９０は、底板部１２０に略面一に埋設された金属板を折曲して挿入方向に延在するように立ち上がる金属片と、金属片を覆う樹脂材とにより形成されている。よって、隔壁部１９０は、内部の金属片により補強された状態になっている。
【００７２】
また、ハウジング１１０における両側壁部１３０、１４０のうち他方の側壁部（左側壁部１４０）１４０側には、図示しないが、カードの挿抜によりハウジング底面上をメモリカードの挿抜方向に沿って前後に移動するスライダと、スライダをメモリカード挿入口側に向けて付勢するコイルスプリングとを含むイジェクト機構が配設される。なお、イジェクト機構は、メモリカードを、コネクタ１００に完全に挿入された挿入完了位置と、その手前の挿入位置で軽く保持するためのハーフロック位置との２箇所の位置で保持できる周知の技術であるため説明は省略する。図２では、左側壁部１４０内に、コイルスプリングを収容するスプリング収容部１４５と、スライダを挿入完了位置でロックするハートカム部１４６とが設けられている。
【００７３】
このように構成されたコネクタ１００おいて検出スイッチ１６０Ａ、１６０Ｂの動作について説明する。
【００７４】
図８〜図１０は、コネクタ１００における検出スイッチ１６０Ａの動作の説明に供する図であり、切欠部１３４内における可動接点部１６４ａ及び固定端子１６２の位置関係をカード接触部１６３ａの位置に対応させて示した要部断面図である。
【００７５】
詳細には、図８〜図９は、切欠部１３４内の可動接点部１６４ａ及び固定端子１６２を挿入口１０１側から見た図であり、図８は、同検出スイッチ１６０Ａの常態時である初期状態を示す図であり、図９は、同検出スイッチ１６０Ａにおいて可動端子１６１が可動中の状態を示す図であり、図１０は、同検出スイッチ１６０Ａにおいて可動端子１６１の可動後の状態を示す図である。
【００７６】
コネクタ１００では、メモリカード２０を挿入口１０１から挿入すると、メモリカード２０は、ハウジング１１０のガイドレール１３３、１４３により後端側壁部１５０側に案内され、収容部１０２内を移動する。このとき、検出スイッチ１６０Ａでは、可動端子１６１において、メモリカード２０の収容領域内に位置するカード接触部１６３ａが、メモリカード２０と接触していないため、図８の初期位置の状態となっている。
【００７７】
収容部１０２内を、ハウジング１１０の後方に移動するメモリカード２０は、収容部１０２内に突出するカード接触部１６３ａに当接し、当該カード接触部１６３ａを押圧する。
【００７８】
可動アーム部１６３の先端部に形成されたカード接触部１６３ａがメモリカード２０に下方に押圧されることによって、可動アーム部１６３自体が弾性変形して可動する。この可動アーム部１６３の可動によって、カード接触部１６３ａが下方に変位するとともに、開口部１２４内に配置され、可動接点部１６４ａを有する接点アーム部１６４も可動して下方（図８の矢印Ｄで示す固定端子１６２に接近する方向）に変位する。
【００７９】
接点アーム部１６４の変位によって、接点アーム部１６４の先端に形成された可動接点部１６４ａは、図９に示すように、下方の固定端子１６２に当接する。詳細には、下降する可動接点部１６４ａは、面取りされた角部１６４ｆ（図８参照）で固定端子１６２の突部に当接する。
【００８０】
そして、メモリカード２０が収容部１０２の奥側に更に挿入されることによって、カード接触部１６３ａは更に下方に移動して変位し、これに伴い、接点アーム部１６４も更に下方に可動する。この動作に伴って可動接点部１６４ａは、切欠部１３４内をさらに下方に移動して、当該固定端子１６２の傾斜する上面部分を摺動する。このとき、可動接点部１６４ａでは、湾曲する角部１６４ｆ（図８参照）が、固定端子１６２の上面の傾斜する突部に当接しつつ、突部に沿って突部上を矢印Ｄ１方向に摺動する。
【００８１】
そして、メモリカード２０が収容部１０２に収容されると、図１０に示すように、固定端子１６２上を摺動する可動接点部１６４ａは、当該固定端子１６２に押圧された状態で停止する。
【００８２】
これにより、メモリカード２０が収容部１０２に収容されてコネクタ１００への装着が完了した状態では、メモリカード２０は、電極２１とコンタクトピン１７０とが電気的に接続した状態でコネクタ１００に保持される。
【００８３】
このとき、カード検出スイッチ１６０Ａでは、可動端子１６１と固定端子１６２とが接触した状態、つまり、電気的に導通した状態で保持されることになる。よってカード検出スイッチ１６０Ａは、カードが挿入完了状態、つまり、カード装着状態であることを検出する。
【００８４】
このように、カード検出スイッチ１６０Ａでは、挿入されるメモリカード２０により押圧されて、カード接触部１６３ａは、下方に変位することによって、収容部１０２に対して後退する。このカード接触部１６３ａの後退移動に伴って、可動接点部１６４ａはカード接触部１６３ａと同方向に可動して、固定端子１６２に接触して導通する。
【００８５】
また、カード検出スイッチ１６０Ａでは、可動接点部１６４ａは可動して、固定端子１６２に当接し、当該固定端子１６２を傾斜方向に摺動しつつ接触状態で固定される。
【００８６】
これにより、カード検出スイッチ１６０Ａは、可動接点部１６４ａと固定端子１６２との接触部分が互いに摺動しつつ接触する、所謂、ワイピングしつつ接触することとなる。よって、カード検出スイッチ１６０Ａでは、可動端子１６１における接点アーム部１６４の可動接点部１６４ａが、固定端子１６２の斜面を摺動、つまり、滑り降りた分、両者間のクリーニングを発生させることができる。
【００８７】
したがって、カード検出スイッチ１６０Ａは、可動接点部１６４ａの揺動によって、可動接点部１６４ａ及び固定端子１６２間に介在するゴミ等の異物を排除して、両者間における異物の介在を防止することができ、好適な導通状態又は絶縁状態を維持できる。
【００８８】
このとき、カード検出スイッチ１６０Ａでは、一方の接触端子である固定端子１６２は、自身が撓むことなく、可動端子１６１の可動接点部１６４ａと接触している。ことため、従来の検出スイッチの構造と異なり、接触する端子の一方の可動領域のみ確保するだけでよく、双方の可動領域を確保する必要がない。
【００８９】
よって、コネクタにおいてカード検出スイッチ１６０Ａの占有スペースの省スペース化を図ることができ、コネクタ本体自体の小型化を図ることができる。
【００９０】
可動アーム部１６３では、揺動中心となる基端部から可動接点部１６４ａまでのスパンが、基端部からカード接触部１６３ａまでのスパンよりも長いため、可動アーム部１６３が揺動する際に、可動接触部１６４ａの変位量は、カード接触部１６３ａの変位量よりも大きい。
【００９１】
このため、可動アーム部１６３の撓み領域が規制される場合でも、カード接触部１６３ａの変位に伴って変位する可動接点部１６４ａの変位量を極力大きくして、固定端子１６２に対して確実に離間させることができる。
【００９２】
また、可動する可動接点部１６４ａが固定端子１６２を摺動する長さを大きくとる、つまり、ワイピングの範囲を広くとることができる。
【００９３】
これにより、カード検出スイッチ１６０Ａが、メモリカード２０の大きさに対応した形状のコネクタにおいて規制されたスペースに搭載されても、安定して好適な検出を行うことができる。すなわち、カード検出スイッチ１６０Ａでは、可動アーム部１６３の撓み領域が規制される場合でも、可動アーム部１６３の小さな撓みで、可動接点部１６４ａの固定端子１６２に対する摺動範囲を大きくして、可動接点部１６４ａ及び固定端子１６２において互いに接触する部分どうしのクリーニング量を極力大きく確保できる。
【００９４】
また、コネクタ１００における検出スイッチ１６０Ａは、メモリカード２０の厚み範囲内といった限られた領域において、可動接点部１６４ａの可動範囲を極力大きくとって、可動端子１６１の固定端子１６２への接圧（言い換えれば、可動端子１６１が固定端子１６２を押し付ける力）を十分に確保することができる。
【００９５】
さらに、可動接点部１６４ａは、面取りされた角部１６４ｆ（図８参照）で固定端子１６２の突部に当接するため、可動アーム部１６３の可動によって、変位して固定端子１６２に押し付けられても固定端子１６２を損傷させることなく、固定端子１６２上を好適に摺動する。
【００９６】
また、書込要否検出スイッチ１６０Ｂもカード検出スイッチ１６０Ａと同様に構成され、且つ、同様にコネクタ１００に搭載されているため、カード検出スイッチ１６０Ａと同様の作用効果を得ることができる。
【００９７】
つまり、書込要否検出スイッチ１６０Ｂでは、可動端子１６１において収容部１０２内に突出するカード接触部１６３ａは、挿入されるメモリカード２０（溝部を仕切る一側部２３の切欠部分）により押圧され、可動接点部１６４ａと固定端子１６２とが接触状態となる。
【００９８】
よって、書込要否検出スイッチ１６０Ｂは、カード検出スイッチ１６０Ａと同様に、可動端子１６１の可動接点部１６４ａと固定端子１６２との接触部分に異物が挟まる場合でも、互いが摺り合いながら接離することにより摺り合う部分での異物を除去できる。
【００９９】
また、書込要否検出スイッチ１６０Ｂは、メモリカード２０の厚み範囲内といった限られた領域において、可動接点部１６４ａの可動範囲を極力大きくとって、可動端子１６１の固定端子１６２への接圧を十分に確保することができる。
【０１００】
メモリカード２０が装着完了した状態では、メモリカード２０において凹部２５が識別片２６で閉塞されている場合、カード接触部１６３ａは、凹部２５内の識別片２６に下方から当接し、可動端子１６１と固定端子１６２とは接触状態したままとなる。これにより、書込可能状態であることを検出する。
【０１０１】
一方、メモリカード２０において凹部２５内に識別片２６が配置されていない場合で、且つ、当該メモリカード２０が収容部１０２の奥側まで移動して挿入完了状態時である場合、カード接触部１６３ａは、切り欠かれた凹部２５内に配置される。つまり、凹部２５内に接触部１６３ａが突出して復帰した状態となるため、可動アーム部１６３は復元し、接点アーム部１６４も元の状態（電気的に遮断状態）に戻る。これにより接点アーム部１６４の可動接点部１６４ａは固定端子１６２から離間して、可動端子１６１と固定端子１６２との接触状態（電気的に導通状態）が解除される。よって、書込要否検出スイッチ１６０Ｂは、オープン状態となり、書込不可であることを検出する。
【０１０２】
これらカード検出スイッチ１６０Ａ及び書込要否検出スイッチ１６０Ｂでは、メモリカード２０の挿入によって可動端子１６１が可動し、固定端子１６２と接離する。
【０１０３】
コネクタ１００においてカード検出スイッチ１６０Ａ及び書込要否検出スイッチ１６０Ｂが動作する場合、それぞれのカード接触部１６３ａは、挿入されるメモリカード２０の一側部２３と摺動を繰り返す。これにより、カード接触部１６３ａに接触するメモリカード２０における樹脂製の一側部２３の摺動部分は必然的に削れ、削りカスが発生する。
【０１０４】
本実施の形態に係るコネクタ１００のカード検出スイッチ１６０Ａ及び書込要否検出スイッチ１６０Ｂでは、カード接触部１６３ａ及びメモリカード２０のカード接触部分と、可動接点部１６４ａ及び固定端子１６２のスイッチ接点部分（接点領域）とが、ハウジング１１０の一側壁部（ここでは右側壁部１３０）側で近接して配置されている。
【０１０５】
そして、これらカード接触部分とスイッチ接点部分との間には、カード接触部分とスイッチ接点部分とを結ぶ直線上に配置された隔壁部１９０により仕切られている。すなわち、スイッチ接点部分は、隔壁部１９０によって、カード接触部１６３ａが位置する収容部１０２から隔離されている。
【０１０６】
このように本実施の形態では、挿入口１０１から挿入されるメモリカード２０を収容する収容部１０２を備えるハウジング１１０に、カード検出スイッチ（検出部）１６０Ａ及び書込可否検出スイッチ（検出部）１６０Ｂが設けられている。
【０１０７】
カード検出スイッチ１６０Ａは、メモリカード２０の収容部１０２への装着完了し、書込可否検出スイッチ（検出部）１６０Ｂは、メモリカード２０へのデータの書込可否を検出する。書込可否検出スイッチ１６０Ｂは、カード検出スイッチ１６０Ａと同様に構成されており、それぞれ、ハウジング１１０に固定される固定端子１６２と、挿入口１０１側から挿入方向に延出して配置され、撓み変形により揺動する可動端子１６１とを備える。
【０１０８】
可動端子１６１は、収容部１０２内に突出して配置され、且つ、収容部１０２に挿入されるメモリカード２０により押圧されて収容部１０２から収容部１０２を仕切る壁部（底板部１２０）側に後退するカード接触部１６３ａと、カード接触部１６３ａの移動（変位）に伴い、カード接触部１６３ａと同方向に移動（変位）して、固定端子１６２に接触して導通する可動接点部１６４ａとを有する。
【０１０９】
可動端子１６１は、長尺の金属板を加工してなり、挿入口側から挿入方向に延出されている。カード接触部１６３ａは、収容部１０２内に突出させてなる可動アーム部１６３の先端部であり、可動アーム部１６３の可動により収容部１０２から後退自在となっている。接点アーム部１６４は、可動アーム部１６３から分岐して固定端子１６２の方向に延在するように形成され、可動アーム部１６３の可動に伴い可動して、先端部の可動接点部１６４ａが固定端子１６２に摺動しつつ接触状態となって導通する。
【０１１０】
また、ハウジング１１０内においてカード接触部１６３ａと可動接点部１６４ａとの間には、可動接点部１６４ａの固定端子１６２との接点領域を、カード接触部１６３ａのメモリカード２０との接触領域から隔離する隔壁部１９０が設けられている。すなわち、コネクタ１００では、隔壁部１９０によって、カード検出スイッチ１６０Ａ及び書込要否検出スイッチ１６０Ｂのそれぞれにおける可動端子１６１と固定端子１６２とのスイッチ接点部分を、収容部１０２から隔離している。
【０１１１】
このため、収容部１０２にゴミが入った場合でも、スイッチ接点部分の接触不具合が発生しにくく、可動端子１６１及び固定端子１６２を好適に接離させることができる。
【０１１２】
また、隔壁部１９０は、メモリカード２０の挿抜によってメモリカード２０がカード接触部１６３ａに接触し、且つ、摺動することによって削りカスが発生しても、可動接点部１６４ａと固定端子１６２とのスイッチ接点部分に移動することを防止する。
【０１１３】
これにより、スイッチ接点部分である可動接点部１６４ａと固定端子１６２との間に削りカスが介在することによる接触不具合が発生することがなく、メモリカード２０の挿入及び書込要否を確実に検出することができる。
【０１１４】
このように、本実施の形態によれば、挿入して電気的に接続されるメモリカード２０の小型化に伴い小型化及び実装スペースの省スペース化を図ることができるとともに、メモリカード２０の挿抜によってメモリカード２０の筐体の削りカスが発生しても、各スイッチ１６０Ａ、１６０Ｂの接触状態を好適に行うことができる。よって、挿入により装着されるメモリカード２０の挿入検出及び書込可否検出を好適に行うことができる。
【０１１５】
なお、本実施の形態では、可動接点部１６４ａが可動するハウジング１１０の切欠部１３４内において、固定端子１６２を左側壁面から下方に向かって傾斜して突出させた構成としたが、これに限らず、固定端子１６２は、可動端子１６１の可動接点部１６４ａが摺動後に接触した状態で保持される構成であればどのように設けられても良い。例えば、切欠部１３４を右側で仕切る右側壁部から切欠部１３４を左側で仕切る左側壁面にむかって下方に傾斜して突出して設け、下降する可動接点部１６４ａが摺動しつつ接触した状態で互いの接触状態を保持されるようにしてもよい。
【０１１６】
また、可動接点部１６４ａは、固定端子１６２の基端部側から自由端である先端側に向かって摺動するように、ハウジング１１０に設けた構成としたが、先端側から基端側に摺動するように設けてもよい。
【０１１７】
また、本実施の形態のコネクタ１００では、カード検出スイッチ１６０Ａ及び書込要否検出スイッチ１６０Ｂをノーマルオープンスイッチとしたが、これに限らずノーマルクローズスイッチとしてもよい。この場合、カード挿入の際に、固定端子１６２から可動端子１６１が離間することによってカード挿入を検出する。
【０１１８】
また、本実施の形態のコネクタ１００は、電極２１を有するメモリカード２０を挿入して装着し、電極２１をコンタクトピン１７０に電気的に接続するものとしたが、挿入して電気的に接続させるものであれば、どのような電子部品を装着してもよい。
【０１１９】
なお、上記本発明は、本発明の精神を逸脱しない限り、種々の改変をなすことができ、そして本発明が該改変させたものに及ぶことは当然である。
【産業上の利用可能性】
【０１２０】
本発明に係るコネクタ及び検出スイッチは、挿抜されるメモリカード等の電子部品の装着状態を好適に検出することができ、且つ、実装スペースの省スペース化を実現できる効果を有し、特にメモリカード用コネクタとして有用である。
【符号の説明】
【０１２１】
２０  メモリカード
２１  電極
１００  カードコネクタ
１０１  挿入口
１０２  収容部
１１０  ハウジング
１２０  底板部
１２４  開口部
１３０  右側壁部
１３４、１３５  切欠部
１６０Ａ  カード検出スイッチ
１６０Ｂ  書込要否検出スイッチ
１６１  可動端子
１６２  固定端子
１６３  可動アーム部
１６３ａ  カード接触部
１６４  接点アーム部
１６４ａ  可動接点部
【図１】
0005476846.tif 000002
【図２】
0005476846.tif 000003
【図３】
0005476846.tif 000004
【図４】
0005476846.tif 000005
【図５】
0005476846.tif 000006
【図６】
0005476846.tif 000007
【図７】
0005476846.tif 000008
【図８】
0005476846.tif 000009
【図９】
0005476846.tif 000010
【図１０】
0005476846.tif 000011
【図１１】
0005476846.tif 000012